(57)【特許請求の範囲】
【請求項１】
第１ケース及び第２ケースを含む筐体と、
前記第１ケースの輪郭をなぞるように且つ該第１ケースの内面に形成された溝と、
前記第２ケースの内面に形成され、且つ、前記溝に対向する突起と、
前記第１ケース及び前記第２ケースによって挟まれる板状防水手段と、
前記板状防水手段の一部として含まれ、前記溝及び前記突起間に挟まれる封止部と、
前記筐体内のアンテナと、
前記板状防水手段の一部に設けられた金属板とを備え、
前記金属板は、前記アンテナの設置場所から距離をとるように切り欠き部を設けたことを特徴とする携帯型電子機器。
【請求項２】
前記第２ケースの内面には、所定の方向に延在する第１排水溝が形成されていることを特徴とする請求項１に記載の携帯型電子機器。
【請求項３】
前記板状防水手段には、前記第１排水溝が延在する方向と同じ方向に延在する第２排水溝が形成されていることを特徴とする請求項２に記載の携帯型電子機器。
【請求項４】
前記第２ケースの内面には、前記所定の方向に延在するリブが複数形成されており、前記第１排水溝は、前記リブ間の間隙として形成されていることを特徴とする請求項２又は３に記載の携帯型電子機器。
【発明の詳細な説明】
【技術分野】
【０００１】
本発明は携帯型電子機器に関する。
【背景技術】
【０００２】
従来、２つの筐体をもつ携帯電話等の電子機器が提供されている。このような電子機器は、例えば、第１筐体には表示部が、第２筐体には操作部が備えられる等というように、両筐体間で一定の機能分担が図られているのが通常である。かかる携帯型電子機器では、前述の第１筐体、あるいは第２筐体の内部に水が浸入することを防止する防水機能をもつものがある。
【０００３】
このような防水機能をもつ携帯型電子機器は、例えば特許文献１に開示されているようなものが知られている。
【特許文献１】特開２００５−３２７５２号公報
【発明の開示】
【発明が解決しようとする課題】
【０００４】
ところで、従来、前述のような筐体内への浸水を防止するためには、一般に、筐体の内周面に沿うような環状のパッキンが用いられている。しかし、かかるパッキンは、形状的な要因からして、捻れ、歪み等の変形が発生しやすいことから、筐体へのパッキンの組み付け等が困難であるという不具合がある。殊に、当該パッキンを前記内周面に沿うように形成された溝の内部に収納するという、従来広く見られる形態を実現する場合、かかる不具合の程度は増大する。また、同じ理由から、量産される携帯型電子機器間で組み付け等のばらつきが生じれば、防水機能に関する品質維持にも困難さがつきまとうという問題もある。
【０００５】
さらに、環状のパッキンを用いる場合、筐体にねじれ等の変形が発生したとき、前記溝からパッキンが浮き上がる等して、防水機能が十分に発揮されないおそれも相当程度大きい。これに対処するため、筐体の変形を抑制すべく、ネジ等による固定部を増やす、といったことも考えられるが、そうすると今度は、当該ネジ等の設置領域を確保するため、携帯型電子機器の大型化等の回避が困難となるという問題も生じる。
【０００６】
前記の特許文献１は、その主眼がフレキシブルプリント回路基板を挟み込む第１及び第２のフレキ部パッキンによってヒンジ部近傍の浸水を防止することにあるが、筐体内への浸水を防止するためには、「プリント基板を囲む周囲パッキン」（特許文献１の〔請求項１〕）を要素とするものであって、この点に関しては、上述した事情がまさにあてはまるものということができる。実際、当該文献の実施の形態では、環状のケースパッキンが、これとほぼ同形状の溝に嵌め込まれ、且つ、該ケースパッキンが溝と凸部とで挟持される構造が開示されている（特許文献１の〔００６１〕以降、及び〔図７〕、〔図８〕参照）
【０００７】
本発明は、上記事情に鑑みてなされたものであり、筐体への組み付け容易性等を備え、かつ、浸水防止が実効的に可能な防水手段を備える携帯型電子機器を提供することを目的とする。
【課題を解決するための手段】
【００１３】
上記目的を達成するため、本発明に係る携帯電子機器は、第１ケース及び第２ケースを含む筐体と、前記第１ケースの輪郭をなぞるように且つ該第１ケースの内面に形成された溝と、前記第２ケースの内面に形成され、且つ、前記溝に対向する突起と、前記第１ケース及び前記第２ケースによって挟まれる板状防水手段と、前記板状防水手段の一部として含まれ、前記溝及び前記突起間に挟まれる封止部と、前記筐体内のアンテナと、前記板状防水手段の一部に設けられた金属板とを備え、前記金属板は、前記アンテナの設置場所から距離をとるように切り欠き部を設けたことを特徴とする。
【００１４】
また、本発明に係る携帯型電子機器では、前記第２ケースの内面には、所定の方向に延在する第１排水溝が形成されているように構成してもよい。
【００１５】
この態様では、前記板状防水手段には、前記第１排水溝が延在する方向と同じ方向に延在する第２排水溝が形成されているように構成してもよい。
【００１６】
あるいは、この態様では、前記第２ケースの内面には、前記所定の方向に延在するリブが複数形成されており、前記第１排水溝は、前記リブ間の間隙として形成されているように構成してもよい。
【発明の効果】
【００１７】
以上のように、本発明によれば、板状の防水手段が備えられているので、筐体への組み付け容易性は格段に向上する。また、当該板状防水手段は封止部をもち、当該封止部が突起及び溝に挟まれることによって、実効的な浸水防止機能の発揮も可能となる。
【発明を実施するための最良の形態】
【００１８】
以下では、本発明の実施の形態について、図１乃至図８を参照して説明する。本実施形態に係る携帯電話は、第１筐体１、第２筐体２及びヒンジ部３を備える。
【００１９】
第１筐体１は、比較的扁平な略直方体形状をもつ。この第１筐体１は、フロントケース１８１及びリアケース１８２の２つのケースからなる。いずれのケース（１８１，１８２）も、長方形状の板状部分と当該板状部分の輪郭をなぞるように立つ側壁部分を含む。第１筐体１は、フロントケース１８１の側壁部分の外側の面が、リアケース１８２の側壁部分の内側の面に当接するように嵌め合わされて、略直方体形状をもつことになる（図２参照）。なお、フロントケース１８１とリアケース１８２とは、四隅においてフロントケース１８１側からネジ止めされるようになっており、フロントケース１８１側のネジ止め部はプレート１８３，１８４で覆われている。
【００２０】
フロントケース１８１には、図１に示すように、前記板状部分のほぼ全面を占めるかのように表示用窓１８１Ｗが形成されている。フロントケース１８１内には、前記表示用窓１８１Ｗの形成位置に対応するように、液晶表示装置等で構成される表示部１１が備えられている。また、この表示部１１の背後には、表示部１１を駆動するための駆動回路、画像信号処理回路その他の適当な要素を含む電気回路基板１１１が配置されている（図２参照）。
【００２１】
表示部１１の近傍のプレート１８３で覆われている部分には、レシーバ１２が備えられている。レシーバ１２は、所定の電気信号を音声に変換する機能を持つ。前記電気回路基板１１１には、このレシーバ１２のための音声信号処理回路も含まれ得る。
【００２２】
なお、第１筐体１の内部には、防水板５が備えられているが、この点については後に詳述する。
【００２３】
第２筐体２は、前記第１筐体１と同様、比較的扁平な略直方体形状をもつ。この略直方体形状を構成する幅広面の一方には、図１に示すように、操作部２１が備えられている。
【００２４】
この操作部２１は、テンキー２１１、カーソルキー２１２及び決定キー２１３を含む。
テンキー２１１は、０から９までの数字キーを含む。カーソルキー（十字キー）２１２は、カーソルを四方向に移動させることができるキーであり、例えば、表示部１１に比較的制限された幾つかの選択肢を含む機能選択メニューが表示されている場合に、その中から、ユーザに所望の選択肢を選んでもらう等といった用途に利用されると便利である。また、決定キー２１３は、カーソルキー２１２で選択された選択肢を決定する際等に利用するキーである。
なお、操作部２１は、上記の他、各種のアルファベットキー、エンターキー、ファンクションキー等の各種機能の実現を担うキーをも含み得る。
【００２５】
操作部２１の近傍（図１中下方）には、マイク２２が備えられている。このマイク２２は、前述のレシーバ１２とは逆に、当該携帯電話のユーザの声を受け取り、これを電気信号に変換する機能を持つ。
【００２６】
なお、図１において示されている破線の楕円に囲まれた領域Ｃには、第２筐体２の内部に、アンテナ２０２が配置されている。より具体的には、第２筐体２の背面側に備えられているバッテリー収納部２０１に隣接する領域（第２筐体２の内部）に、アンテナ２０２が配置されている。
【００２７】
ヒンジ部３は、上述の第１筐体１及び第２筐体２を接続する。ヒンジ部３は、図１において明瞭には図示されない、２つの回転軸をもつ。このうちの一方の回転軸は、図１に示す軸Ａｘに平行なものであり、他方の回転軸は、軸Ｂｘに平行なものである。軸Ａｘに平行な回転軸によって、第１筐体１及び第２筐体２は、相対的に、図１に示す矢印Ａに示すような回転動作をすることが可能である。また、軸Ｂｘに平行な回転軸によって、第１筐体１は、図１に示す矢印Ｂに示すような回転動作をすることが可能である。
【００２８】
かかる基本的構成を備えた本実施形態の携帯電話では特に、前述の防水板５に関わる構成について特徴がある。以下、これについて説明する。この防水板５は、図２あるいは図３等に示すように、金属板５１及びシート状パッキン５２を含む。
【００２９】
金属板５１は、図４において比較的よく示されているように、平面視して概ね長方形状をもつ。ただし、当該長方形状のうち、図４中上方の２つの角部、及び、図４中下方の辺の中央部分は切り欠かれている。これにより、金属板５１は、それぞれ指摘した箇所に、切り欠き部５１ａ，５１ａ及び切り欠き部５１ｂをもつ。
なお、図４においては、これら切り欠き部（５１ａ，５１ｂ）の存在を強調するため、当該切り欠き部が仮に存在しないとした場合における輪郭形状を破線でもって示している。
【００３０】
この金属板５１には、図４中左下部分に示すように、概略長方形状の窓５１１が形成されている。窓５１１は、当該金属板５１に段差を設けるべく形成された凸部５１４の形成領域内に形成されている。この窓５１１は、図２等に示されているように、リアケース１８２に形成された着信表示窓１８２ａに対応する。なお、金属板５１における、この窓５１１の形成位置には、図６に示すように、防水タイプの両面テープ９２を介して、電気回路基板１１１の上に設けられている発光素子１１２（図２参照）からの光を導く導光板９１が装着される。
また、この金属板５１には、前述の凸部５１４と同様の、凸部５１２，５１３が形成されている。これら凸部５１２，５１３は、例えば、前記電気回路基板１１１に含まれる比較的肉厚となる諸要素の配置等に応じて設けることができる。つまり、これら凸部５１２，５１３が金属板５１のどこに設置されるべきかは、当該要素の配置等に応じて、基本的に自由に設定されうる（かかる事情は、前記凸部５１４についてもあてはまる。）。
いずれにせよ、上述の凸部５１２乃至５１４の存在によると、単純平坦な金属板を想定すると明らかなように、金属板５１の強度が増加するという効果が得られる。
【００３１】
金属板５１は更に、その左右の側縁部に係合壁５１５をもつ。この係合壁５１５は、当該金属板５１の大部分を占める平板状部からみて、垂直に立ち上がる。かかる係合壁５１は、後述するように、シート状パッキン５２との接合を図る際に利用される。なお、係合壁５１の「係合」とは、この符号５１の要素が、このようにシート状パッキン５２と接合される目的をもっていることに着目してネーミングされている。
【００３２】
以上の金属板５１は、例えばステンレス鋼等の錆び難い金属により作られて好適である。
【００３３】
一方、シート状パッキン５２は、図４において比較的よく示されているように、平面視して、前記の金属板５１の外形形状よりも一回り大きい外形形状の概略長方形状をもつ。より詳細に言えば、シート状パッキン５２の幅方向（図４中左右方向）の長さについては、金属板５１のそれとほぼ同一であり、当該幅方向と直交する方向の長さについては、金属板５１のそれよりも大きい。シート状パッキン５２は、かかる平面的広がりの中において、前記金属板５１が配置されるべき開口部５２９をもつ。この開口部５２９を平面視した形状は、金属板５１のそれよりも少し小さく、金属板５１の周縁部がシート状パッキン５２の開口部５２９の周縁部に接合されている。
【００３４】
また、シート状パッキン５２は、その輪郭を取り巻くようにして封止部５２１をもつ。この封止部５２１は、前記開口部５２９に金属板５１が配置された場合において、当該金属板５１の前記平板状部から垂直に立ち上がるようにして、形成されている（図３参照）。なお、この封止部５２１の立ち上がる方向は、前記係合壁５１５の立ち上がる方向と同じである（図９参照）。また、封止部５２１は立ち上がり部の中間部が、後述する封止用溝１８１ａの幅よりも広くなっている（図９参照）。
この封止部５２１は、浸水を防止するための主要な役割を担う。この点については、後述する。
【００３５】
さらに、シート状パッキン５２は、帯状突起部５２２及び６つの排水溝５２２Ｇをもつ。帯状突起部５２２は、図３乃至図５に示すように、金属板５１の図中上方の形状をほぼなぞるように延びる。なお、帯状突起部５２２の突出方向は、前記の封止部５２１の立ち上がる方向とは逆である（図５（ａ）及び（ｂ）参照）。
排水溝５２２Ｇは、この帯状突起部５２２の一部が、４箇所において断絶されることによって形成されている。この排水溝５２２Ｇの存在によって、金属板５１が存在する場所と、帯状突起部５２２を挟んで当該場所と反対側の場所（図３乃至図５では、図中上方に位置する場所）とは空間的に連通される（図２も参照）。
【００３６】
以上のシート状パッキン５２は、例えば弾性樹脂（例えば、シリコンゴム、ポリエチレン系エラストマー樹脂等）から作られ得る。後述する「径方向圧縮」の作用を考えると、少なくとも、前記封止部５２１に関しては、一定程度以上の弾性変形能力をもつ樹脂、特に好適にはシリコンゴムから作られるのが好ましい。
【００３７】
防水板５は、図４及び図３の対比からわかるように、前述した、シ−ト状パッキン５２の開口部５２９に対して、金属板５１が配置されることによって、一体性を獲得する。
この場合、これらシート状パッキン５２及び金属板５１を接合するためには、インサート成形法を用いるのが最適な手段の一つである。ここでインサート成形とは、所定の形状をもつ金型内に金属素材等を挿入した後、樹脂を注入することで、当該金属素材と樹脂素材とを一体化した成形品を得る方法である。本実施形態に関して言えば、前記金属素材として、予め図４に示すような形状に形作った金属板５１を用意するとともに、前記金型の所定の形状を、図４に示すようなシート状パッキン５２の形状にほぼ合致するように形作っておけばよい。この場合、金型内における前記係合壁５１５の配置関係を適当に定めておけば、図９に示すように、係合壁５１５の形成部分とシート状パッキン５２１の形成部分とを接合部分として、金属板５１及びシート状パッキン５２間の接合を図ることができる。
【００３８】
また、このようにして一体化された防水板５は、第１筐体１内において、図２に示すように位置付けられる。すなわち、防水板５は、フロントケース１８１に装着された電気回路基板１１１と、リアケース１８２との間に配置される。この場合、防水板５における、前記排水溝５２２Ｇが形成されている面（図５（ａ）参照）は、リアケース１８２の内面に対向し、その反対側の面（図５（ｂ）参照）は電気回路基板１１１に対向する。また、排水溝５２２Ｇの形成部分を除く、帯状突起部５２２の端面（例えば図５（ａ）、に表われている面）は、リアケース１８２の内面にほぼ密着する。
【００３９】
防水板５が、かかる配置態様をとることによって、第１筐体１の内部は、浸水可能領域と防水領域とに分かたれる。ここで浸水可能領域とは、防水板５を境界として、リアケース１８２の内面が含まれる空間領域であり、防水領域とは、防水板５を境界として、電気回路基板１１１の背面（図２において表われている面）が含まれる領域である。
【００４０】
リアケース１８２の内面には、図７及び図８に示すように、リブ１８２Ｌ及び排水溝１８２Ｇが形成されている。リブ１８２Ｌは、リアケース１８２の内面に垂直に立つ、一定の長さをもつ部材である。その延在方向は、ヒンジ部３が位置すべき場所から、リアケース１８２の頭頂部（図７及び図８でいえば、図中上部）に向かう方向（以下、「排水方向」という。）に一致する。このようなリブ１８２Ｌは、図から明らかなように、複数形成される。
排水溝１８２Ｇは、これら複数のリブ１８２Ｌ間の間隙として、当該リブ１８２Ｌの形成とともに形成される。したがって、排水溝１８２Ｇは一定の長さをもって延在する溝であり、その方向は前記排水方向に一致する。
【００４１】
なお、このようなリブ１８２Ｌ及び排水溝１８２Ｇの延在方向は、図７及び図８と、図２とを対比すると分かるように、シート状パッキン５２の排水溝５２２Ｇのそれと同じである。
また、リブ１８２Ｌ及び排水溝１８２Ｇは、例えば図８に示すように、窓５１１が存在すべき場所その他の当該携帯電話に必要な要素が配置されるべき場所においては一部形成されていない。
【００４２】
また、リアケース１８２の内面には、その輪郭をなぞるようにして封止用突起１８２Ｋが形成されている。なお、この封止用突起１８２Ｋは、その輪郭の全周に亘って連続して形成される必要はなく、一部のみであってもよい。この封止用突起１８２Ｋは、フロントケース１８１の内面に形成された封止用溝１８１ａ（図２参照）に対向している。この封止用溝１８１ａは、前述の封止用突起１８２Ｋと同様、フロントケース１８１の内面に、その輪郭をなぞるようにして形成されている。
【００４３】
次に、上述した携帯電話を構成する防水板５の組み付け態様等について、前述までに参照した図１乃至図８に加え、図９を参照して説明する。
まず、本実施形態に係る携帯電話に、防水板５を組み付けるためには、図２に示すように、当該防水板５を、電気回路基板１１１が設置済みであるフロントケース１８１の内面の上に載置する。この場合、防水板５の封止部５２１が、フロントケース１８１の封止用溝１８１ａの上に位置付けられるように載置し、封止部５２１を指で封止用溝１８１ａに押し込む（図９参照）。続いて、リアケース１８２を、フロントケース１８１上の防水板５の上に重ねるように配置する。この場合、リアケース１８２の封止用突起１８２Ｋが、前記封止部５２１及び封止用溝１８１ａの上に位置付けられるようにする。
【００４４】
そして、この状態で、フロントケース１８１とリアケース１８２とをネジ止めする。これにより、前記の封止用突起１８２Ｋは、封止部５２１を封止用溝１８１ａに更に押し込みむと共に封止部５２１が封止用溝１８１ａから浮き上がったり外れたりすることを防止する。この場合、封止部５２１には、図９に示す矢印の方向に力が作用する。
すなわち、第１に、封止部５２１の図中上端では、当該封止部５２１を下に押さえ付けるような力が働く。この結果、前記の第１の力は封止用溝１８１ａの底によって受け止められ、且つ、封止部５２１は上述のように弾性変形可能な樹脂材料から作られているので、当該封止部５２１の下端付近では、図９に示すように、径方向へ拡散するかのような力が作用する。このようにして、封止部５２１が径方向に圧縮される結果、封止部５２１と封止用溝１８１ａとの間の密着性は高められることになる。
【００４５】
なお、上述のような径方向の圧縮作用が最も好適に発揮されるには、上述のように、封止部５２１が弾性変形可能な樹脂材料から作られていることと共に、当該封止部５２１の幅が、封止用溝１８１ａの幅にほぼ同一であり、かつ、この封止用溝１８１ａの幅が、封止用突起１８２Ｋの幅よりも大きい（ここでいう「幅」はすべて、図９でいえば、図中左右方向の長さを意味する。）、という形状的特質をもたせるようにするとよい。なお、封止用溝１８１ａの幅と封止用突起１８２Ｋの幅とは、場合によっては、ほぼ同一であってもよい。
【００４６】
以上説明した、本実施形態に係る携帯電話によれば、次のような作用効果が奏される。
（１）  本実施形態に係る携帯電話では、極めて実効的な防水機能が発揮される。これは、上述のように、封止部５２１と封止用溝１８１ａとの密着が好適な態様でもって実現されることによる。
すなわち、封止部５２１は、上述のように、組み付け時、その一端において封止用突起１８２Ｋの力を受ける結果、その他端部が、径方向に拡散し、且つ、それによって封止用溝１８１ａの側壁から径方向に圧縮される反作用力を受ける。封止部５２１と封止用溝１８１ａとは、このようにして密着性が高められることから、実効的な防水機能が発揮されることになるのである。
特に、上述のような径方向の圧縮作用は、第２筐体２が捻れ等の変形を受けるときであっても、封止部５２１及び封止用溝１８１ａ間の密着性を維持する可能性を高める。つまり、本実施形態においては、第２筐体２の変形があっても、浸水の生じるおそれが極めて低減されているのである。
【００４７】
なお、このように極めて実効的な防水機能が発揮されることにより、従前、より高い防水対策を施しておかなければ設けることができなかった、着信表示窓１８２ａ等の開口部及びその周辺装置等は、より簡易な対策を施すだけでも十分その設置が可能となるという効果も得られる。実際、本実施形態では、図６を参照して説明したように、導光板９１を防水板５の窓５１１に設置するにあたっては、防水タイプの両面テープ９２さえ用意しておけば十分なのである。これは、当該導光板９１が前記防水領域に位置することになるからである。
【００４８】
（２）  本実施形態に係る携帯電話の防水板５は、第１筐体１の組み付け容易性に大きく貢献する。これは、防水板５は、全体的に見て板状の形態となっていることから、比較的剛性が大きく変形し難くなっていることによる。これにより、防水板５の組み付け作業においては、上述のように、封止部５２１を封止用溝１８１ａに位置させ、封止部５２１を封止用溝１８１ａに押し込むだけでよいので、特別な注意を払う必要が全くないのである。このような本実施形態の優位性は、従来広くみられた、比較的変形容易な環状のパッキンの場合と比較した場合、より際立つ。
また、同じ理由から、量産される携帯電話間で防水板５の組み付けについて、ばらつきが生じるおそれも殆どなく、防水機能に関する品質維持も容易となるという効果も得られる。
【００４９】
（３）  本実施形態では、上述のように、防水板５が、第１筐体１内を、防水領域と浸水可能領域とに分ける。この場合、浸水可能領域では、前記の封止部５２１が存在しないため、水が浸入する可能性は否定されない。しかし、本実施形態においては、リアケース１８２の内面の排水溝１８２Ｇと、防水板５の排水溝５２２Ｇとが存在するため、仮にそのような浸水が生じたとしても、その水は、当該浸水可能領域から速やかに排水されるようになっているのである。この場合、両排水溝（１８２Ｇ，５２２Ｇ）の延在方向が一致していること、及び、排水溝５２２Ｇが金属板５１の設置場所と、帯状突起部５２２を挟んで当該場所と反対側の場所とを連通するように設けられていることは、その排水にとって、大きく役立つ。なお、第１筐体１の外への排水は、最終的には、リアケース１８２に形成されたドレイン１８２Ｄを介して行われる（図８参照）。
【００５０】
なお、排水溝１８２Ｇは、上述したように、複数のリブ１８２Ｌの間隙として形成されているが、このリブ１８２Ｌが形成されていることによって、本実施形態では、リアケース１８２の強度が高められるという付随的効果が得られる。
また、このリアケース１８２の強度向上という結果は、当該リアケース１８２、更には第２筐体２全体に、捻れ等の変形を生じさせがたくすることを意味するから、前記の防水効果の増大を、効果的にアシストするという付随的効果をも引き寄せる。
【００５１】
なお、上述のような浸水の可能性に配慮すると、金属板５１は、錆に強い材料から作られるのが好ましく、この観点からすると、前述のステンレス剛は最も好適な材料選択の一例といえる。
【００５２】
（４）  加えて、本実施形態においては、防水板５が金属板５１を備えていることに関連して、以下のような効果が奏される。
第１に、金属板５１の存在によって、防水板５全体の薄型化が可能である。また、この金属板５１の存在は、防水板５１全体の剛性付与にも当然資している。これは、仮に、図３のような板状の防水板をすべて樹脂材料から構成する場合から比べると、より明瞭である。このような場合、当該防水板に、前記（１）の組み付け容易性を確保するため適当な剛性を与えようとすれば、該防水板は比較的厚めになってしまうおそれが大きくなるからである。
以上のように、金属板５１は、防水板５、あるいは第１筐体１の薄型化、ひいては携帯電話全体の小型化の達成を容易にし、更には、前記（１）の組み付け容易性という効果を、更に実効的に享受可能とする。
【００５３】
なお、既に述べたように、金属板５１に凸部５１３乃至５１４が形成されていることにより、当該金属板５１の強度は高められているが、このことは、防水板５全体の剛性を維持・向上するという観点から、当然貢献することになる。
【００５４】
（５）  第２に、金属板５１はシールド機能を発揮する。すなわち、防水板５の近傍には、図２に示すように、電気回路基板１１１が当該防水板５に対向するように配置されることになるが、金属板５１は、これに対する、又は、これから発するノイズを遮蔽可能である。
したがって、本実施形態に係る携帯電話は、ノイズ等の影響を受けずに、より正確に動作しうることになる。
なお、このような効果を、より実効的に享受可能とするためには、金属板５１は、適当な手段によって、接地されているとよい。
【００５５】
（６）  なお、本実施形態においては、図１に示すアンテナ２０２の設置場所との関係から、金属板５１の存在が受信電波・送信電波に悪影響を与えるおそれが完全には否定できない。しかし、本実施形態においては、金属板５１は、上述のように、切り欠き部５１ａをもつため、第１筐体１及び第２筐体２が閉状態にある場合において、金属板５１は、その切り欠き部５１ａが存在する分、アンテナ２０２との距離をとって配置されているような状態におかれる。したがって、前述の悪影響の発生は極力防止されるようになっているのである。
なお、切り欠き部５１ｂについても、例えばダイバーシティ受信用のサブアンテナとして第１筐体１又は第２筐体２の内部に配置され得る帯状のアンテナエレメント（不図示）に関して、上述と同様の効果が奏される。この場合、当該帯状のアンテナエレメントが、図１の軸Ａｘに沿うような直線要素を含む場合、当該切り欠き部５１ｂの作用効果が最大限発揮され得る。
【００５６】
なお、本発明は上記実施形態にかかわらず、種々の変形が可能である。その変形例としては、例えば次のようなものがある。
（１）  上記実施形態では、第１筐体１及び第２筐体２の２つの筐体をもつ携帯電話に、本発明に係る「板状防水手段」を適用する例について説明しているが、本発明はかかる形態に限定されるわけでは勿論ない。例えば、筐体が１つしかない場合であっても、当然、本発明の適用は可能である。
【００５７】
（２）  上記実施形態では、防水板５は金属板５１を備えるものとなっているが、本発明は、かかる形態に限定されない。例えば、既に述べたように、その全部が樹脂材料から作られた防水板も、本発明の範囲内には含まれる。このような場合であっても、環状のパッキンではなく「板状」であるということから導かれる本来的な剛性上昇という作用は同様に得られ、したがって、前述した各種効果のうち、金属板５１を原因とする効果は得られなくなるか、あるいは減殺されるものの、主要な効果はなお、本質的に相違なく奏されることになるからである。
【００５８】
（３）  上記実施形態では、携帯型電子機器として携帯電話を例に挙げて説明を行ったが、その他にも、ノート型パーソナルコンピュータ、デジタルカメラ、腕時計、ＰＤＡ（Personal Digital Assistance）、電子手帳、携帯型無線機、その他の電子機器に本発明を適用可能である。
【図面の簡単な説明】
【００５９】
【図１】本発明の実施の形態に係る携帯電話を示す斜視図である。
【図２】第１筐体を分解して示す斜視図である。
【図３】防水板を示す斜視図である。
【図４】防水板を構成する、板状パッキン及び金属板を分解して示す斜視図である。
【図５】防水板の（ａ）正面図及び（ｂ）裏面図である。なお、（ｂ）裏面図は、（ａ）正面図の右辺を軸として反転させた場合に見られる裏面図である。
【図６】防水板に導光板が取り付けられる様子を示す斜視図である。
【図７】第１筐体を構成するリアケースの（ａ）正面図、（ｂ）側面図及び（ｃ）裏面図である。なお、（ｃ）裏面図は、（ａ）正面図の右辺を軸として反転させた場合に見られる裏面図である。
【図８】リアケースの内面構造の様子を示す斜視図である。
【図９】フロントケースの封止用溝に防水板の封止部が嵌められた状態、及びその封止部に対してリアケースの封止用突起が及ぼす力の様子を示す説明図である。
【符号の説明】
【００６０】
１・・・第１筐体、１１・・・表示部、１１１・・・電気回路基板、１２・・・レシーバ、１８１・・・フロントケース、１８１ａ・・・封止用溝、１８１Ｗ・・・表示用窓、１８２・・・リアケース、１８２ａ・・・着信表示窓、１８２Ｌ・・・リブ、１８２Ｇ・・・排水溝、１８２Ｋ・・・封止用突起、２・・・第２筐体、２１・・・操作部、２１１・・・テンキー、２１２・・・カーソルキー、２１３・・・決定キー、２２・・・マイク、２０１・・・バッテリー収納部、２０２・・・アンテナ、３・・・ヒンジ部、５・・・防水板、５１・・・金属板、５１ａ，５１ｂ・・・切り欠き部、５１１・・・窓、５１２，５１３，５１４・・・凸部、５１５・・・係合壁、５２・・・シート状パッキン、５２１・・・封止部、５２２・・・帯状突起部、５２２Ｇ・・・排水溝、５２９・・・開口部、９１・・・導光板、９２・・・両面テープ
【図１】
0004586174.tif 000002
【図２】
0004586174.tif 000003
【図３】
0004586174.tif 000004
【図４】
0004586174.tif 000005
【図５】
0004586174.tif 000006
【図６】
0004586174.tif 000007
【図７】
0004586174.tif 000008
【図８】
0004586174.tif 000009
【図９】
0004586174.tif 000010